(57)【要約】【課題】雨水タンクを固定するための構造として、固定強さを保ちながら見栄えを良好にできる雨水タンクの固定構造を提供する。【解決手段】本発明は、雨水を貯留するため設置面に載置された雨水タンク１と、設置面に前記雨水タンク１を固定する固定具５とを備えた雨水タンクの固定構造である。雨水タンク１は、当該雨水タンク１の下端部に設けられて内部の水を吐出する吐出口部２３を有している。固定具５は、前記設置面に固定される設置面固定部５１と、前記吐出口部２３を固定するタンク固定部６とを有している。【選択図】図１
2013221267.tif 000002
【特許請求の範囲】
【請求項１】
雨水を貯留するため設置面に載置された雨水タンクと、
前記設置面に前記雨水タンクを固定する固定具と
を備えた雨水タンクの固定構造であって、
前記雨水タンクは、当該雨水タンクの下端部に設けられて内部の水を吐出する吐出口部を有しており、
前記固定具は、
前記設置面に固定される設置面固定部と、
前記吐出口部を固定するタンク固定部と
を有している
ことを特徴とする雨水タンクの固定構造。
【請求項２】
前記吐出口部は、前記雨水タンクの表面から突出する筒状吐出部を有しており、
前記タンク固定部は、貫通孔が形成された固定板部を有しており、
前記筒状吐出部が前記貫通孔内に配置された状態で、前記設置面に前記雨水タンクが固定されている
ことを特徴とする請求項１記載の雨水タンクの固定構造。
【請求項３】
前記吐出口部は、
前記筒状吐出部の基端部に設けられて前記固定板部に当接する当接面と、
この当接面に設けられた凹部と
を備えており、
前記固定具は、
前記貫通孔から前記筒状吐出部の中心軸に略直角な方向で且つ略水平方向に切欠された吐出部導入溝と、
前記固定板部から前記当接面側に向かって突没自在に設けられ、前記筒状吐出部が前記貫通孔内に配置された状態で前記凹部に挿入される突起部と
を備えており、
前記雨水タンクまたは前記固定具が、前記突起部を前記凹部に挿入した状態で保持する保持手段を有している
ことを特徴とする請求項２記載の雨水タンクの固定構造。
【請求項４】
前記吐出口部は、雨水タンクの下端部に設けられた収容凹所に設けられており、
前記固定具は収容凹所内に収容配置されている
ことを特徴とする請求項１乃至請求項３のいずれか一項に記載の雨水タンクの固定構造。
【発明の詳細な説明】
【技術分野】
【０００１】
本発明は、雨水タンクの固定構造に関する。
【背景技術】
【０００２】
従来、雨水タンクが設置面に固定された固定構造が知られている（例えば特許文献１参照）。
【０００３】
この特許文献１記載の貯水タンクには、背面上部にフック部材が設けられている。フック部材には、チェーンやワイヤー等の紐状部材が挿通される。紐状部材は、フック部材に通された状態で、その両端が地面に打設されて固定される。これによりこの貯水タンクは、地面に固定されている。
【先行技術文献】
【特許文献】
【０００４】
【特許文献１】特開２０１１−１７４２６２号公報
【発明の概要】
【発明が解決しようとする課題】
【０００５】
ところで特許文献１記載の貯水タンクの固定構造は、紐状部材が、地面から貯水タンクの背面上部に掛け渡される構造である。このためこの貯水タンクの固定構造は、紐状部材が大きく露出する上に、目に付く位置に配置されているため目立つものである。すなわち従来の貯水タンクの固定構造は見栄えが悪い。
【０００６】
本発明は、上記事情に鑑みてなされたものであり、その目的とするところは、雨水タンクを固定するための構造として、固定強さを保ちながら見栄えを良好にできる雨水タンクの固定構造を提供することにある。
【課題を解決するための手段】
【０００７】
本発明の雨水タンクの固定構造は、雨水を貯留するため設置面に載置された雨水タンクと、前記設置面に前記雨水タンクを固定する固定具とを備えた雨水タンクの固定構造であって、前記雨水タンクは、当該雨水タンクの下端部に設けられて内部の水を吐出する吐出口部を有しており、前記固定具は、前記設置面に固定される設置面固定部と、前記吐出口部を固定するタンク固定部とを有していることを特徴とする。
【０００８】
またこの雨水タンクの固定構造において、前記吐出口部は、前記雨水タンクの表面から突出する筒状吐出部を有しており、前記タンク固定部は、貫通孔が形成された固定板部によって構成されており、前記筒状吐出部が前記貫通孔に挿入された状態で、前記設置面に前記雨水タンクが固定されていることが好ましい。
【０００９】
またこの雨水タンクの固定構造において、前記雨水タンクは、前記吐出口部に設けられて前記固定板部に当接する当接面と、この当接面に設けられた凹部とを備えており、前記固定具は、前記貫通孔から前記筒状吐出部の中心軸に略直角な方向で且つ略水平方向に切欠された吐出部導入溝と、前記固定板部から前記雨水タンク側に突没自在に設けられて前記凹部に挿入可能な突起部とを備えており、前記雨水タンクまたは前記固定具が、前記突起部を前記凹部に挿入させた状態で保持する保持手段を有していることが好ましい。
【００１０】
またこの雨水タンクの固定構造において、前記吐出口部は、雨水タンクの下端部に設けられた収容凹所に設けられており、前記固定具は収容凹所内に収容配置されていることが好ましい。
【発明の効果】
【００１１】
本発明の雨水タンクの固定構造によれば、雨水タンクの下端部に設けられた吐出口部を利用して、雨水タンクを設置面に固定できるため、固定具を目に付かない位置に配置できる。しかも、固定具は、吐出口部を設置面に固定するため、雨水タンクの固定強さを保つことができる。
【００１２】
すなわち、本発明の雨水タンクの固定構造によれば、雨水タンクを固定するための構造として、固定強さを保ちながら見栄えを良好にすることができる。
【図面の簡単な説明】
【００１３】
【図１】本実施形態の雨水タンクの固定構造を示す斜視図である。
【図２】本実施形態の雨水タンクの側面図である。
【図３】本実施形態の固定具の斜視図である。
【図４】本実施形態の固定具であり（ａ）は正面図であり（ｂ）は左側面図であり（ｃ）は右側面図であり（ｄ）は平面図である。
【図５】本実施形態において、雨水タンクを固定具に設置する直前の状態を示す斜視図である。
【図６】（ａ）〜（ｄ）は、本実施形態において、固定具に雨水タンクを設置する状態を説明するための要部断面図である。
【図７】本実施形態の雨水タンクの使用状態を示す正面図である。
【発明を実施するための形態】
【００１４】
以下、本発明の実施形態について添付図面に基づいて説明する。
【００１５】
本実施形態の雨水タンク１の固定構造は、図１に示されるように、雨水タンク１と、固定具５とを備えている。雨水タンク１は、設置面に載置される。固定具５は、雨水タンク１を設置面に固定する。
【００１６】
設置面は、雨水タンク１を設置するための場所である。設置面は、例えば、地面や、コンクリート床などが挙げられる。設置面は、水平な面が望ましいが、水平面に限られない。
【００１７】
雨水タンク１は、タンク本体２と、蓋部材４とを備えている。タンク本体２は、上方が開口した有底箱形状に形成されている。タンク本体２は、断面略楕円形状に形成されている。タンク本体２は、平面視において長さと幅とを有している。幅は、長さ方向に直交する。タンク本体２は、高さを有している。タンク本体２は、内部に雨水を貯留できるようになっている。タンク本体２は設置面に載置される。蓋部材４はタンク本体２の上方の開口に着脱自在に取り付けられる。
【００１８】
なお、図１に示されるように、雨水タンク１において、長さ方向の正面視右側に向かう方向が第１の方向８０として定義される。また第１の方向８０とは反対側に向かう方向が第２の方向８１として定義される。また長さ方向に直角な方向が前後方向として定義される。特に、固定具５からタンク側に向かう方向が前方向８２として定義される。またその反対側に向かう方向が後方向８３として定義される。
【００１９】
タンク本体２は、取水口２１と、排水口２２と、吐出口部２３と、収容凹所２４とを備えている。取水口２１は、タンク本体２内に雨水を取り込むために設けられている。取水口２１は、タンク本体２の上端部に設けられている。取水口２１は、例えば、タンク本体２において第１の方向８０の先端側に配置される。取水口２１は、図７に示されるように、取水用ホース９４を介して竪樋に連通接続される。
【００２０】
排水口２２は、タンク本体２に溜められた雨水が所定の量を超えると、その超えた分の雨水を排水するために設けられる。排水口２２は、タンク本体２の上端部に設けられている。排水口２２は、タンク本体２において第２の方向８１の先端側に配置される。排水口２２は、図７に示されるように、排水用ホース９５を介して竪樋に連通接続される。排水口２２は、取水口２１と略同じ高さに設けられている。
【００２１】
吐出口部２３は、タンク本体２の内部に溜められた雨水を吐出する。吐出口部２３は、タンク本体２の下端部に設けられている。吐出口部２３は、タンク本体２に対して複数箇所に設けられている。吐出口部２３は、タンク本体２の長さ方向の両端に設けられている。言い換えると、吐出口部２３は、長さ方向に離間して設けられている。吐出口部２３は、第１の吐出口部２５と、第２の吐出口部２６とを備えている。第１の吐出口部２５は、タンク本体２の下端部において第１の方向８０の先端側に設けられている。第２の吐出口部２６は、タンク本体２の下端部において第２の方向８１の先端側に設けられている。各吐出口部２３は、筒状吐出部２７と、当接面２８と（図２）を備えている。また各吐出口部２３は、収容凹所２４内に設けられている。
【００２２】
筒状吐出部２７は、タンク本体２の表面から水平方向に向かって突出している。より詳しく説明すると、第１の吐出口部２５の筒状吐出部２７は、第１の吐出口部２５の当接面２８から第１の方向８０に向かって突出している。第２の吐出口部２６の筒状吐出部２７は、第２の吐出口部２６の当接面２８から第２の方向８１に向かって突出している。各筒状吐出部２７は、水平方向に長さを有している。各筒状吐出部２７は、吐出口（図示せず）を有している。
【００２３】
吐出口は、各筒状吐出部２７の先端に設けられている。吐出口は、タンク本体２の内部に連通している。各筒状吐出部２７は、キャップ２７１を有している。キャップ２７１は、吐出口を塞ぐようにして取り付けられる。キャップ２７１の内面には、雄ねじ部（図示せず）が形成されている。各筒状吐出部２７の外面には、雌ねじ部（図示せず）が形成されている。これによりキャップ２７１部は、筒状吐出部２７に着脱自在に取り付けられる。
【００２４】
当接面２８は、固定具５が当接する面である。当接面２８は、鉛直面により構成されている。第１の吐出口部２５の当接面２８は、第１の方向８０に臨んでいる。第２の吐出口部２６の当接面２８は、第２の方向８１に臨んでいる。当接面２８は筒状吐出部２７の基端部に設けられている。
【００２５】
図２に示されるように、各当接面２８には、凹部３０が形成されている。凹部３０は、上下方向に長さを有している。言い換えると、凹部３０は、上下方向に長い溝部によって構成されている。凹部３０は、筒状吐出部２７の後方側に隣接配置されている。
【００２６】
タンク本体２は、複数の収容凹所２４を有している。収容凹所２４は、タンク本体２の下端部に設けられている。収容凹所２４は、タンク本体２の下端部の長さ方向の両端部に設けられている。収容凹所２４は、当接面２８と、奥面２４１とを有している。収容凹所２４には、各吐出口部２３が収容配置されている。
【００２７】
タンク本体２は、窪み部２９を有している。窪み部２９は、タンク本体２の下端に、上方に凹没するよう設けられている。第１の方向８０の先端側に設けられた窪み部２９は、第１の方向８０に開口している。また第２の方向８１の先端側に設けられた窪み部２９は、第２の方向８１に開口している。窪み部２９は、各当接面２８の下方に設けられている。窪み部２９は、少なくとも上面を有している。
【００２８】
固定具５は、雨水タンク１を設置面に固定する。固定具５は、図３に示されるように、設置面固定部５１と、タンク固定部６とを備えている。固定具５は、金属板を曲げ加工することで形成されている。
【００２９】
設置面固定部５１は、設置面に固定される。設置面に対する設置面固定部５１の固定は、アンカーボルト等の固着具を介して行われる。設置面固定部５１には、固着具を挿通するための固着具挿通孔５２が複数箇所に穿設されている。
【００３０】
タンク固定部６は、雨水タンク１の吐出口部２３を固定する。タンク固定部６は、固定板部６１と、突起部６４とを有している。固定板部６１は、設置面固定部５１から上方に向かって延出している。固定板部６１は、鉛直面により構成されている。固定板部６１は、雨水タンク１の当接面２８に当接する部分である。固定板部６１には、貫通孔６２と、吐出部導入溝６３とが設けられている。
【００３１】
貫通孔６２は、固定板部６１を貫通する。貫通孔６２には雨水タンク１の筒状吐出部２７が挿入される。吐出部導入溝６３は、筒状吐出部２７を貫通孔６２に導入するために設けられている。吐出部導入溝６３は、貫通孔６２から前方向に向かって切欠された箇所である。より詳しく説明すると、吐出部導入溝６３は、貫通孔６２から、筒状吐出部２７の中心軸に直角な方向で且つ略水平方向に向かって切欠されている。吐出部導入溝６３と貫通孔６２との開口端縁は連続している。これにより、吐出部導入溝６３と貫通孔６２との開口端縁は、前方に開口した横倒し略Ｕ字状に形成されている。
【００３２】
突起部６４は、固定板部６１から当接面２８側に向かって突出する。また突起部６４は、固定板部６１に対し突没自在となっている。突起部６４は、固定板部６１が当接面２８に当接した状態で、雨水タンク１の凹部３０に挿入できるよう構成されている。また、突起部６４は、上下方向に長さを有している。言い換えると、突起部６４は、上下方向に長い突条により構成されている。
【００３３】
突起部６４は、断面Ｌ字状の係止片６５と、支持部６６とを備えている。固定板部６１にはスリット７０が形成されている。スリット７０は、上下方向に長さを有している。スリット７０は、固定板部６１を貫通する。係止片６５は、第１の片６５１と第２の片６５２とを有している。第１の片６５１は第２の片６５２に直交している。支持部６６は、係止片６５を回動またはスライド自在に支持する。支持部６６は、例えばピン６６１により構成されている。支持部６６は、係止片６５の第２の片６５２がスリット７０を介して固定板部６１から突出した状態で、第１の片６５１を固定板部６１に連結する。これにより突起部６４は、固定板部６１から当接面２８に向かって突没自在に設けられる。
【００３４】
また、固定具５は、付勢手段を備えている。付勢手段は、突起部６４を突出方向に付勢する。付勢手段は、コイルバネにより構成されている。コイルバネは、ピン６６１の頭部６６２と係止片６５との間に介装されている。付勢手段は、係止片６５を固定板部６１に押し付ける方向に付勢し、これにより突起部６４を突出方向に付勢する。
【００３５】
固定具５には、下延設部６８が設けられている。下延設部６８は、固定板部６１の下端から、設置面固定部５１とは反対側に向かって突出している。下延設部６８は、前方側に向かうほど下方に位置するよう傾斜している。下延設部６８は、雨水タンク１の窪み部２９の下方に入り込むようにして配置される。下延設部６８の上面は、窪み部２９の上面に当接する。
【００３６】
また固定具５は、奥面当接部６９を有している。奥面当接部６９は、雨水タンク１の収容凹所２４の奥面２４１に当接する。奥面当接部６９は、設置面固定部５１の前方向の先端から上方に向かって延出している。
【００３７】
次に、施工者が、固定具５を用いて雨水タンク１を固定する場合につき説明する。
【００３８】
施工者は、図５に示すように、設置面における所定の位置に複数の固定具５を配置する。施工者は、設置面固定部５１の固着具挿通孔５２に、アンカーボルトを打入する。これにより、固定具５は、設置面に固定される。
【００３９】
施工者は、固定された固定具５の前方に雨水タンク１を配置し、雨水タンク１を設置面に沿って後方向にスライド移動させる。施工者は、固定具５の奥面当接部６９に収容凹所２４の奥面２４１が当接するまで、雨水タンク１を移動させる。
【００４０】
すると、雨水タンク１の当接面２８が固定板部６１に沿って移動する。このとき、雨水タンク１の当接面２８の後方向の先端がＲ形状となっているため、当接面２８は、突起部６４を付勢力に抗して押し込む（図６（ｃ））。固定具５の奥面当接部６９に収容凹所２４の奥面２４１が当接すると、突起部６４は、突出状態に復元し、雨水タンク１の凹部３０に挿入される（図６（ｄ））。それと同時に、雨水タンク１の筒状吐出部２７が、吐出部導入溝６３を通過して、貫通孔６２内に配置される。これにより、筒状吐出部２７が貫通孔６２に挿入された状態で、設置面に雨水タンク１が固定される。
【００４１】
本実施形態の固定具５は、保持手段を有している。保持手段は、突起部６４を雨水タンク１の凹部３０に挿入した状態で保持する。本実施形態の保持手段は、付勢手段により構成されている。
【００４２】
なお、保持手段として、筒状吐出部２７のキャップ２７１が用いられていてもよい。キャップ２７１を筒状吐出部２７に螺合することで、キャップ２７１は係止片６５の移動を規制する。言い換えると、キャップ２７１は、突起部６４を雨水タンク１の凹部３０に挿入した状態で保持する。もちろん、付勢手段とキャップ２７１との両者を保持手段としてもよい。つまり、保持手段は、雨水タンク１及び固定具５のうち、いずれか一方または両方に設けられている。
【００４３】
雨水タンク１が所定の位置に配置されると、図１に示されるように、固定具５は、収容凹所２４内に収容配置される。また、下延設部６８は、窪み部２９の下方に入り込む。下延設部６８は、窪み部２９の上面に当接する。
【００４４】
固定された雨水タンク１は、図７に示されるように、竪樋に接続される。竪樋は、第１の竪樋９０と、第２の竪樋９１とを備えている。第１の竪樋９０は、第２の竪樋９１の上流側に配置されている。竪樋には取水装置９２が接続されている。取水装置９２は、雨水取込口９２１と、第１の分岐口９２２と、第２の分岐口９２３とを備えている。第１の分岐口９２２と第２の分岐口９２３とは、雨水取込口９２１から分岐している。雨水取込口９２１には、第１の竪樋９０が接続される。第２の分岐口９２３には、第２の竪樋９１が接続される。第１の分岐口９２２と雨水タンク１の取水口２１との間には、取水用ホース９４が接続される。
【００４５】
第１の竪樋９０を流下した雨水は、雨水取込口９２１から取水装置９２に流入する。そして、雨水の一部または全部が、第１の分岐口９２２に流入する。
【００４６】
また雨水タンク１の排水口２２は、排水用ホース９５を介して竪樋に連通接続される。竪樋には排水装置９３が接続されている。排水装置９３は、第１の取込口９３１と、第２の取込口９３２と、雨水流出口９３３とを備えている。第１の取込口９３１と第２の取込口９３２とは、雨水流出口９３３に連通している。第１の取込口９３１と雨水タンク１の排水口２２とは、排水用ホース９５を介して接続される。第２の取込口９３２は、第２の竪樋９１に接続される。雨水流出口９３３は、排水溝に接続される。
【００４７】
以上説明したように本実施形態の雨水タンク１の固定構造は、雨水タンク１と、固定具５とを備えている。雨水タンク１は、雨水を貯留するため設置面に載置されている。固定具５は、雨水タンク１を設置面に固定する。雨水タンク１は、吐出口部２３を有している。吐出口部２３は、雨水タンク１の下端部に設けられている。吐出口部２３は、雨水タンク１の内部の水を吐出する。固定具５は、設置面固定部５１と、タンク固定部６とを備えている。設置面固定部５１は、設置面に固定される。タンク固定部６は、雨水タンク１の吐出口部２３を固定する。
【００４８】
このように本実施形態の雨水タンク１の固定構造は、固定具５を用いて、設置面と、雨水タンク１の下端部の吐出口部２３とを連結固定するものである。このため、固定具５を目立たないよう配置できて、見栄えがよくなる。しかも、雨水タンク１の下端部を設置面に固定するため、固定強さを強く保つことができる。
【００４９】
また本実施形態の吐出口部２３は、筒状吐出部２７を有している。筒状吐出部２７は、雨水タンク１の表面から突出している。タンク固定部６は、貫通孔６２が形成された固定板部６１を有している。本実施形態の雨水タンク１の固定構造は、筒状吐出部２７が貫通孔６２内に配置された状態で、設置面に雨水タンク１が固定されている。
【００５０】
このように、本実施形態の雨水タンク１の固定構造は、固定板部６１の貫通孔６２内に筒状吐出部２７が配置されるため、雨水タンク１が倒れようとした場合に、固定板部６１の貫通孔６２により筒状吐出部２７の移動が規制される。これにより、雨水タンク１が倒れるのを効果的に防ぐことができる。
【００５１】
また本実施形態の吐出口部２３は、当接面２８と、凹部３０とを備えている。当接面２８は筒状吐出部２７の基端部に設けられている。当接面２８は固定板部６１に当接する部分である。凹部３０は当接面２８に設けられている。固定具５は、吐出部導入溝６３と、突起部６４とを備えている。吐出部導入溝６３は、貫通孔６２から筒状吐出部２７の中心軸に略直角な方向で且つ略水平方向に切欠されている。突起部６４は、固定板部６１から当接面２８側に向かって突没自在に設けられている。突起部６４は、筒状吐出部２７が前記貫通孔６２内に配置された状態で凹部３０に挿入される。雨水タンク１または固定具５は、保持手段を有している。保持手段は、突起部６４を凹部３０に挿入した状態で保持する。
【００５２】
本実施形態の固定具５は、吐出部導入溝６３が設けられているため、雨水タンク１を設置面に沿ってスライド移動させるだけで、筒状吐出部２７を貫通孔６２内に配置することができる。しかも、筒状吐出部２７が貫通孔６２内に配置された後には、突起部６４を凹部３０に挿入した状態で保持することができる。このため、雨水タンク１が固定具５に装着された状態では、筒状吐出部２７が吐出部導入溝６３側から抜けるのを防ぐことができる。これにより、施工者は、雨水タンク１を持ち上げることなく、容易に設置することができる。
【００５３】
また本実施形態の吐出口部２３は、収容凹所２４に設けられている。収容凹所２４は雨水タンク１の下端部に設けられている。固定具５は、収容凹所２４内に配置されている。
【００５４】
このため、本実施形態の雨水タンク１の固定構造によれば、固定具５をより一層目立たないように配置でき、見栄えを向上することができる。
【００５５】
なお、本実施形態の付勢手段は、コイルバネにより構成されていたが、別の構造として、次のようなものであってもよい。係止片６５の第１の片６５１は、弾性変形可能に構成されている。支持部６６は、第１の片６５１を固定板部６１に固定する。突起部６４は、係止片６５の第１の片６５１が、弾性変形することで突没自在となっている。付勢手段は、第１の片６５１の復元力によって構成される。つまり、保持手段として、この付勢手段を用いることができる。
【符号の説明】
【００５６】
１      雨水タンク
２      タンク本体
２１    取水口
２２    排水口
２３    吐出口部
２４    収容凹所
２４１  奥面
２５    第１の吐出口部
２６    第２の吐出口部
２７    筒状吐出部
２７１  キャップ
２８    当接面
２９    窪み部
３０    凹部
４      蓋部材
５      固定具
５１    設置面固定部
５２    固着具挿入孔
６      タンク固定部
６１    固定板部
６２    貫通孔
６３    吐出部導入溝
６４    突起部
６５    係止片
６６    支持部
８０    第１の方向
８１    第２の方向
【図１】
2013221267.tif 000003
【図２】
2013221267.tif 000004
【図３】
2013221267.tif 000005
【図４】
2013221267.tif 000006
【図５】
2013221267.tif 000007
【図６】
2013221267.tif 000008
【図７】
2013221267.tif 000009